(57)【特許請求の範囲】
【請求項１】
通信回線に接続され、複数方式の通信を行う通信端末装置において、タッチパネル式の画像表示器に複数のキー表示が平面的に配列された複数頁のシートを重ねて表示することにより、キーボード手段を画像として表示し、この画像上の頁毎に通信方式を割り当て、同一頁に同一通信方式を用いる相手先が並ぶように各頁の各キーに対応付けて相手先を登録し、キー操作により相手先を呼び出したとき、開かれている頁により通信方式を決定するようにしたことを特徴とする通信端末装置。
【発明の詳細な説明】
【０００１】
【発明の属する技術分野】
本発明は、Ｇ４，Ｇ３両種類のファクシミリ通信が可能な通信端末装置に係り、特に、通信方式の入力操作が不要な通信端末装置に関するものである。
【０００２】
【従来の技術】
従来、Ｇ３ファクシミリ通信が普及しており、デジタルのファクシミリデータをモデムによりアナログ音声信号に変換し、一般のＰＳＴＮ（アナログ公衆回線）を介して送受信する。これに対し、ＩＳＤＮ（サービス総合デジタル網／Ｉｎｔｅｇｒａｔｅｄ  Ｓｅｒｖｉｃｅｓ  Ｄｉｇｉｔａｌ  Ｎｅｔｗｏｒｋ  ）    等のデジタルデータ回線を介して、デジタルのファクシミリデータを送受信するＧ４ファクシミリ通信が普及しつつある。このため、ファクシミリ装置には、Ｇ４ファクシミリ通信とＧ３ファクシミリ通信とが両方とも可能なことが要求されている。そこで、ＩＳＤＮ回線に接続して使用され、Ｇ４，Ｇ３両方式のファクシミリ通信が可能なファクシミリ装置が提供されている。
【０００３】
【発明が解決しようとする課題】
ところで、Ｇ４，Ｇ３両方式のファクシミリ通信を行う能力があっても、相手先との通信方式が整合していなければ通信はできないから、通信の際に、使用する通信方式を相手先に合わせて決定しなくてはならない。
【０００４】
従来は、オペレータが相手先の通信方式を覚えておき、通信の度に、相手先に合わせて使用する通信方式を入力していた。しかし、相手先の通信方式を覚えておくのは煩わしく、間違うこともある。また、通信の度に通信方式を入力するのは面倒である。
【０００５】
そこで、本発明の目的は、上記課題を解決し、通信方式の入力操作が不要な通信端末装置を提供することにある。
【０００６】
【課題を解決するための手段】
上記目的を達成するために本発明は、通信回線に接続され、複数方式の通信を行う通信端末装置において、タッチパネル式の画像表示器に複数のキー表示が平面的に配列された複数頁のシートを重ねて表示することにより、キーボード手段を画像として表示し、この画像上の頁毎に通信方式を割り当て、同一頁に同一通信方式を用いる相手先が並ぶように各頁の各キーに対応付けて相手先を登録し、キー操作により相手先を呼び出したとき、開かれている頁により通信方式を決定するようにしたものである。
【０００９】
【発明の実施の形態】
以下、本発明の一実施形態を添付図面に基づいて詳述する。
【００１０】
この実施形態では、通信端末装置は、ＩＳＤＮ回線及びＰＳＴＮ回線に接続され、Ｇ３，Ｇ４ファクシミリ通信を行うファクシミリ装置である。図１には、本発明のキーボード手段を機械式で構成した場合の機械式多頁キーボード手段が示されている。図２には、頁に対応付けて通信方式を登録する通信方式テーブル及び各頁の各キーに対応付けて相手先を登録するダイヤルテーブルが示されている。図３には、通信方式を決定する処理の流れ図が示されている。図４には、ファクシミリ装置の回路構成が示されている。
【００１１】
図４に示されるように、ファクシミリ装置は、主制御部１、表示部２、記録部（プリンタ）３、読取部（スキャナ）４、操作部５、ＲＡＭ６、画像メモリ７、モデム８、切換部９、ＰＣＭコーデック１０、ＬＡＰ−Ｄ部１１、ＬＡＰ−Ｂ部１２から構成されている。
【００１２】
主制御部１は、ハードウェア各部を制御してファクシミリ装置としての種々の動作を行うものである。また、本発明に係る動作として、キーボード手段５１の頁、キーを認識し、通信方式を決定することができる。
【００１３】
表示部２は、ファクシミリ装置の動作状態、電話番号等を表示するものである。また、表示部２は、本発明によりキーボード手段を画像表示することができる。
【００１４】
記録部（プリンタ）３は、他のＧ３，Ｇ４ファクシミリ装置から受信した受信原稿を記録するものである。
【００１５】
読取部（スキャナ）４は、原稿上を走査することにより、原稿に基づく白黒２値のイメージデータを生成することができる。
【００１６】
操作部５は、数字を入力するテンキー、短縮ダイヤル操作を行う短縮ダイヤルキー、ワンタッチ操作を行うワンタッチキー、各種ファンクションキー、スタートキー等を備えている。このうち、ワンタッチキー用のキーボード手段５１が機械式多頁キーボード手段で構成されており、その詳細は後述する。
【００１７】
ＲＡＭ６は、プログラム実行時に発生する一時的なデータや登録された各種データをテーブル形式で記憶するものである。通信方式テーブルＴ１及びダイヤルテーブルＴ２は、このＲＡＭ６上に設けられている。
【００１８】
モデム７は、Ｇ３ファクシミリ通信に使用される。
【００１９】
切換部８は、ＰＳＴＮ回線とＰＣＭコーデック９とを切り換え、電話機１２とモデム８とを切り換えるものである。
【００２０】
ＰＣＭコーデック９は、アナログ音声信号とデジタルデータとの相互変換を行うものである。
【００２１】
ＬＡＰ−Ｄ部１０は、ＬＡＰ−Ｄ（Ｌｉｎｋ  Ａｃｃｅｓｓ  Ｐｒｏｃｅｄｕｒｅ  ｏｎ  ｔｈｅ  Ｄ−ｃｈａｎｎｅｌ）機能、即ち、ＩＳＤＮのＤチャンネル用のプロトコルを制御する機能を持つ。
【００２２】
ＬＡＰ−Ｂ部１１は、ＬＡＰ−Ｂ（Ｌｉｎｋ  Ａｃｃｅｓｓ  Ｐｒｏｃｅｄｕｒｅ−Ｂａｌａｎｃｅｄ）機能、即ち、ＩＳＤＮのＢチャンネル用のプロトコルを制御する機能を持ち、Ｇ４ファクシミリ通信に使用される。
【００２３】
次に、キーボード手段を説明する。
【００２４】
図１に示されるように、このキーボード手段５１は、複数のキー５２と複数頁のシート５３からなる機械式多頁キーボード手段である。各シート５３は板状部材からなり、複数頁のシート５３が重ねて設けられている。各シート５３は、片端５３ａがヒンジで止められており、自由端５３ｂをめくることにより改頁することができる。最下層のシート５３の下の装置表面には、複数のキー５２が縦横に配列されている。各シート５３には各キーの位置にキー窓５４が開けられており、改頁を行ってもキー窓５４よりキー５２が露出するようになっている。各キー５２の記号Ａ，Ｂ，Ｃ，…はキートップ又は各シート５３に表記されている。
【００２５】
各シート５３の自由端５３ｂにはシート毎に異なる形態の切欠部５３ｃが設けられていると共に、シート５３を感知するセンサとして各切欠部５３ｃに臨ませた反射式光センサ５５が設けられており、開かれている頁によって各センサ５５の導通・非導通状態の組み合わせが変わるようになっている。図１のものは、シート５３の重ね順に切欠長さが長くしてあり、センサ５５は切欠部５３ｃの長さ変化分ずつずらせて直線的に並べられている。従って、非導通状態のセンサ５５に隣接した導通状態のセンサ５５に対応する頁が開かれている頁と判断できる。
【００２６】
このキーボード手段５１は、ワンタッチ操作を行うワンタッチキーとして使用される。即ち、各頁の各キー５２に対応付けて相手先を登録しておき、１つのキー５２が操作されると、対応する相手先を呼び出すことができる。また、同一頁には同一通信方式を用いる相手先のみが対応して登録できるようになっている。オペレータが各頁に割り当てられた通信方式を判別できるように、各頁のシート５３に「Ｇ４」か「Ｇ３」のいずれかが表記されている。ファクシミリ装置は、前述のようにセンサ５５によって頁を認識する。従って、キー操作により相手先を呼び出したとき、開かれている頁により通信方式を決定することができる。
【００２７】
次に、テーブルの構成を説明する。
【００２８】
図２に示されるように、通信方式テーブルＴ１は、頁の欄と通信方式の欄とからなり、センサ５５によって認識される頁と、シート５３に表記された通信方式とが対応するようになっている。
【００２９】
ダイヤルテーブルＴ２は、頁の欄とキー記号の欄と相手先名の欄と電話番号の欄とからなり、オペレータが内容を登録するようになっている。このとき、オペレータは、任意のキーを選択し、頁は相手先の通信方式に合わせて選択することになる。登録後、キー操作が行われたときには、ファクシミリ装置は、当該頁の当該キーに対応する相手先の電話番号を読み出して自動ダイヤルすることができる。
【００３０】
次に、図３を用いて通信方式決定の動作を説明する。
【００３１】
ファクシミリ装置の発信動作において、キーボード手段５１の開かれている頁をセンサ５５により検出する（Ｓ１）。オペレータは登録されている相手先をワンタッチ操作で呼び出す。このときファクシミリ装置は、どのキー５２が入力されたかを検出する（Ｓ２）。そして、ファクシミリ装置は、当該頁の当該キーに対応する相手先電話番号をダイヤルテーブルＴ２から読み出し（Ｓ３）、さらに、頁に対応する通信方式を通信方式テーブルＴ１から読み出す（Ｓ４）。
【００３２】
次に、ファクシミリ装置は、読み出した通信方式がＧ３かＧ４かを判定する（Ｓ５）。Ｇ３の場合は、さらに、なるべくＩＳＤＮ回線をＧ４用に空けておく目的で、ＩＳＤＮ回線を使用するかＰＳＴＮ回線を使用するかを判定する。即ち、ＰＳＴＮ回線が通話等で使用されているかどうかを判断し、ＰＳＴＮ回線が使用中のときのみＩＳＤＮ回線を使用するという判定になる。以上の判定に基づき、ＰＳＴＮ回線で発呼し、Ｇ３通信を行うか、ＩＳＤＮ回線で発呼し、Ｇ３通信を行うか、又は、ＩＳＤＮ回線で発呼し、Ｇ４通信を行う。
【００３４】
図５に示されたキーボード手段５１は、機械式多頁キーボード手段であるが、頁の認識手段としてヒンジ止めされた片端５３ａに切換えスイッチ５６を設けたものである。切換えスイッチ５６は、シート５３が右にあるか左にあるかを検出する機械式接点をシート毎に設けて、これらの機械式接点の出力の並び方から頁を認識するものである。或いは、シートが右めくりされたことを検出する機械式接点と左めくりされたことを検出する機械式接点とを設けて、機械式接点が作動する度にソフトウェアで頁を増減するようにしてもよい。
【００３５】
この形態のキーボード手段５１は、光センサを使用しないので、外乱光による誤動作のおそれがない。
【００３６】
また、図５に示されたキーボード手段５１は、キー表示の形態として各シート５３の各キーの近くに登録してある相手先名を表記するようになっている。これによりオペレータは、ダイヤルテーブルＴ２に登録した内容を暗記していなくても、相手先名の表記されている頁を開いてキー操作を行えばよいことになる。
【００３７】
図６に示された本発明に係るキーボード手段２１は、表示部２に画像として表示されたものである。複数のキー２２が縦横に配列され複数頁のシート２３が重ねて表示されており、各シート上の各キーは、登録された相手先名で示されている。このキーボード手段２１の操作は、タッチパネル方式で行われる。即ち、表示部２の表面に接触センサを設け、画像にオペレータが触れたとき、その触れた座標位置に対応するキーを認識する。
【００３８】
各シート２３は、位置をずらせて重ねて表示されており、最上部に表示された頁の操作が有効になっている。また、次頁以降のシートがはみだして表示された部分には頁数が示されており、この部分を操作することで改頁が可能である。さらに、各シートには、「Ｇ４」か「Ｇ３」のいずれかが表記されている。
【００３９】
この形態は、機械式のキーやシートを使用しないので、安価で耐久性がよい。また、キーが相手先名で示されるので、どのキーにどの相手先を登録したかがよく分かる。
【００４０】
【発明の効果】
本発明は次の如き優れた効果を発揮する。
【００４１】
（１）通信の際に相手先の通信方式の入力操作が不要なので、操作が簡単である。
【００４２】
（２）複数頁のシートを重ねてキーボード手段を形成したので、限られた面積内に多数のキーを設けることができる。
【００４３】
（３）キーボード手段を画像表示器に画像として表示したので、物理的なキーが不要になると共に多数の頁を設けることができる。
【図面の簡単な説明】
【図１】機械式多頁キーボード手段の構成図である。
【図２】本発明に使用する通信方式テーブル及びダイヤルテーブルの構成図である。
【図３】本発明による通信方式判定動作の流れ図である。
【図４】図１のキーボード手段を用いたファクシミリ装置の回路構成図である。
【図５】機械式多頁キーボード手段の構成図である。
【図６】本発明の実施形態を示すファクシミリ装置のキーボード手段の構成図である。
【符号の説明】
５１  キーボード手段
５２  キー
５３  シート
５３ｃ  切欠部
５４  キー窓
５５  反射式光センサ
【図１】
0003633242.tif 000002
【図２】
0003633242.tif 000003
【図３】
0003633242.tif 000004
【図４】
0003633242.tif 000005
【図５】
0003633242.tif 000006
【図６】
0003633242.tif 000007